(57)【要約】【課題】高さ寸法の増大を招くことのない係止爪片を採用しつつ簡易にかつ確実に仮保持させることができるグローブボックス容器本体仮保持構造を提供する。【解決手段】係止爪部分２０が設けられ車幅方向に直交する面に沿ってグローブボックス容器本体１１の裏面から延出する係止爪片１９と、係止爪部分２０の突出方向とは反対側で係止爪片１９とは間隔を置きつつ係止爪片１９に沿ってグローブボックス容器本体１１の裏面から延出する係合突起片１７とを有する保持係合部１２が、車室内側から保持開口部５８に挿通されて保持開口部５８の周縁部５８ａに係止爪片１９の係止爪部分２０が係合されると、係止爪片１９が車幅方向で見た保持開口部５８の一方の周縁部５８ａに当接するとともに係合突起片１７が車幅方向で見た保持開口部５８の他方の周縁部５８ｂに当接することにより、インストルメントパネル５０の取付開口５１にグローブボックス容器本体１１を仮保持させる。【選択図】  図１
2010000832.tif 000002
【特許請求の範囲】
【請求項１】
車室内側に臨む取付開口が設けられたインストルメントパネルと、一端が開口された箱形を呈するグローブボックス容器本体と、該グローブボックス容器本体が前記取付開口に嵌入された状態を保持する保持機構とを備え、
該保持機構は、前記取付開口の縁部に設けられ保持開口部が形成された保持部材と、前記グローブボックス容器本体の裏面側に設けられた保持係合部とを有し、
該保持係合部は、前記車室内側から前記保持開口部に挿通可能であり車幅方向に突出する係止爪部分が設けられ車幅方向に直交する面に沿って前記グローブボックス容器本体の裏面から延出する係止爪片と、該係止爪片とともに前記車室内側から前記保持開口部に挿通可能であり前記係止爪部分の突出方向とは反対側で前記係止爪片とは間隔を置きつつ該係止爪片に沿って前記グローブボックス容器本体の裏面から延出する係合突起片とを有し、
前記係止爪片と前記係合突起片とは、前記車室内側から前記保持開口部に挿通されて該保持開口部の周縁部に前記係止爪片の前記係止爪部分が係合されると、前記係止爪片が車幅方向で見た前記保持開口部の一方の周縁部に当接するとともに前記係合突起片が車幅方向で見た前記保持開口部の他方の周縁部に当接することを特徴とするグローブボックス容器本体仮保持構造。
【請求項２】
前記係合突起片は、前記保持開口部の周縁部に前記係止爪片の前記係止爪部分が係合されると、高さ方向で見た前記保持開口部の一対の周縁部の双方に当接することを特徴とする請求項１に記載のグローブボックス容器本体仮保持構造。
【請求項３】
前記係合突起片は、高さ方向で見た前記保持開口部の一対の周縁部のそれぞれに対応すべく対を為して設けられていることを特徴とする請求項２に記載のグローブボックス容器本体仮保持構造。
【請求項４】
前記保持係合部は、前記車室内側から前記保持開口部に挿通されて該保持開口部の周縁部に前記係止爪片の前記係止爪部分が係合されると、前記インストルメントパネルの裏面側から前記保持部材に当接する裏側係合片を有することを特徴とする請求項１ないし請求項３のいずれか１項に記載のグローブボックス容器本体仮保持構造。
【発明の詳細な説明】
【技術分野】
【０００１】
本発明は、インストルメントパネルにグローブボックスを取り付けるためのグローブボックス容器本体仮保持構造に関する。
【背景技術】
【０００２】
一般に、自動車には、車室前方側にインストルメントパネルが設けられ、この助手席前方側にグローブボックスが設けられている（例えば、特許文献１参照）。このようなグローブボックスでは、インストルメントパネルに設けられた取付開口に、グローブボックス容器本体が取り付けられ、このグローブボックス容器本体に箱状のグローブボックス本体もしくは蓋部材が開閉自在に取り付けられて構成されるものがある。このようなグローブボックスをインストルメントパネルに取り付ける場合、その取付開口に嵌入したグローブボックス容器本体をその状態で一旦仮保持させた後、このグローブボックス容器本体を正確な位置で取付開口に固定する。この取付開口へのグローブボックス容器本体の仮保持は、グローブボックス容器本体に設けられたスリット爪を、取付開口の縁部に設けられた保持部材に引っ掛けることにより、行われていた。このスリット爪とは、板状部材にコ字状のスリット溝を設け、このスリット溝に囲まれた箇所を部分的に撓み変形させることにより、当該箇所を係止のための爪部として利用するものである。
【０００３】
ところが、上述したスリット爪は、その構造上ある程度の高さ寸法が必要であることから、車両の設定によっては採用できない場合がある。このため、スリット爪に代えてより高さ寸法を低減した係止爪片を設けることが考えられる。この係止爪片について以下で図７ないし図９を用いて説明する。図７は、グローブボックス容器本体仮保持構造を説明するために、インストルメントパネルの取付開口とグローブボックス容器本体とを分解して示す車室側（手前側）から見た模式的な斜視図である。図８は、従来の係止爪片を用いたグローブボックス容器本体仮保持構造を説明するために図７の矢印Ａ３から見た模式的な斜視図であり、図９は、図８のIII−III線に沿って得られた断面図である。以下の説明では、車両の前後方向で見て、前方側を奥側とし後方側（車室側）を手前側とし、図には、車室から見た前後方向をＦＢの矢印で示し、車幅（左右）方向をＬＲの矢印で示し、高さ方向をＵＤの矢印で示す。
【０００４】
車室前方に設けられたインストルメントパネル５０には、図７に示すように、助手席（図示の例では乗員からみて左側）の前方側にグローブボックス容器本体６０の取り付けのための取付開口５１が設けられている。この取付開口５１は、全体に矩形状を呈し、その開口周縁部のうち車幅方向に位置する側方縁部５２、５３で対を為すように保持部材５４が設けられている。この保持部材５４は、図８に示すように（図７の左側の保持部材５４を用いて説明するが左右が反転することを除くと右側の保持部材５４も基本的に同様の構成である。）、インストルメントパネル５０から延出された保持基部５５に平面部５６が設けられて構成されている。この平面部５６には、補強のためのリブ５７と保持開口部５８とが設けられている。保持開口部５８は、車幅方向に略直交する一対の縦辺部分５８ａ、５８ｂを有する矩形状を呈する。この保持開口部５８には、グローブボックス容器本体６０に設けられた係止爪片６１が係止される。
【０００５】
係止爪片６１は、グローブボックス容器本体６０の開口端６０ａの側方で略高さ方向に延在するフランジ部６０ｂの裏面側（奥側）に設けられ、取付開口５１の左右で対を為している。一対の係止爪片６１は、図８および図９に示すように、フランジ部６０ｂから奥側へ向けて延出された板状を呈し、車幅方向で互いに相反する方向（図８および図９の例ではグローブボックスから見て外側となるＬ側）に突出する係止爪部分６２を有する。
【０００６】
このグローブボックス容器本体６０は、車室内側からインストルメントパネル５０の取付開口５１に挿入され、その側方縁部５２、５３に設けられた保持部材５４の保持開口部５８に一対の係止爪片６１が挿入されると、その係止爪部分６２が保持開口部５８の縦辺部分５８ａに係合し一対の係止爪片６１が保持開口部５８に係止される。これにより、取付開口５１への挿入状態のグローブボックス容器本体６０を容易に仮保持させることができる。
【特許文献１】特開２００４−９８９７７号公報
【発明の開示】
【発明が解決しようとする課題】
【０００７】
しかしながら、上記した構成では、保持部材５４の保持開口部５８に係止された一対の係止爪片６１で、グローブボックス容器本体６０の全重量を支えることから、その重力でグローブボックス容器本体６０や両係止爪片６１の撓み変形に起因して、両係止爪片６１が保持開口部５８に対して車幅方向にずれて（二点鎖線で示す係止爪片６１参照）、両係止爪片６１の保持開口部５８への係止が解除されてしまう虞がある。このことから、係止爪片６１に二点鎖線で示すリブ６３を設ける等のように、保持開口部５８内での係止爪片６１の車幅方向へのずれを防止することが考えられるが、一対の係止爪片６１の保持開口部５８内での撓み変形を規制してしまうので、グローブボックス容器本体６０を仮保持させるべく一対の係止爪片６１を保持開口部５８に係止させることが困難となってしまう。
【０００８】
本発明は、上記の事情に鑑みて為されたもので、高さ寸法の増大を招くことのない係止爪片を採用しつつ簡易にかつ確実に仮保持させることができるグローブボックス容器本体仮保持構造を提供することにある。
【課題を解決するための手段】
【０００９】
上記課題を解決するために、請求項１に記載の発明は、車室内側に臨む取付開口が設けられたインストルメントパネルと、一端が開口された箱形を呈するグローブボックス容器本体と、該グローブボックス容器本体が前記取付開口に嵌入された状態を保持する保持機構とを備え、該保持機構は、前記取付開口の縁部に設けられ保持開口部が形成された保持部材と、前記グローブボックス容器本体の裏面側に設けられた保持係合部とを有し、該保持係合部は、前記車室内側から前記保持開口部に挿通可能であり車幅方向に突出する係止爪部分が設けられ車幅方向に直交する面に沿って前記グローブボックス容器本体の裏面から延出する係止爪片と、該係止爪片とともに前記車室内側から前記保持開口部に挿通可能であり前記係止爪部分の突出方向とは反対側で前記係止爪片とは間隔を置きつつ該係止爪片に沿って前記グローブボックス容器本体の裏面から延出する係合突起片とを有し、前記係止爪片と前記係合突起片とは、前記車室内側から前記保持開口部に挿通されて該保持開口部の周縁部に前記係止爪片の前記係止爪部分が係合されると、前記係止爪片が車幅方向で見た前記保持開口部の一方の周縁部に当接するとともに前記係合突起片が車幅方向で見た前記保持開口部の他方の周縁部に当接することを特徴とする。
【００１０】
請求項２に記載の発明は、請求項１に記載のグローブボックス容器本体仮保持構造であって、前記係合突起片は、前記保持開口部の周縁部に前記係止爪片の前記係止爪部分が係合されると、高さ方向で見た前記保持開口部の一対の周縁部の双方に当接することを特徴とする。
【００１１】
請求項３に記載の発明は、請求項２に記載のグローブボックス容器本体仮保持構造であって、前記係合突起片は、高さ方向で見た前記保持開口部の一対の周縁部のそれぞれに対応すべく対を為して設けられていることを特徴とする。
【００１２】
請求項４に記載の発明は、請求項１ないし請求項３のいずれか１項に記載のグローブボックス容器本体仮保持構造であって、前記保持係合部は、前記車室内側から前記保持開口部に挿通されて該保持開口部の周縁部に前記係止爪片の前記係止爪部分が係合されると、前記インストルメントパネルの裏面側から前記保持部材に当接する裏側係合片を有することを特徴とする。
【発明の効果】
【００１３】
本発明のグローブボックス容器本体仮保持構造では、保持部材の保持開口部において、係止爪片の係止爪部分が保持開口部の一方の周縁部に当接して係止されると、係合突起片が保持開口部の他方の周縁部に当接するので、保持開口部内で保持係合部が車幅方向へとずれることを防止することができる。このため、重力によりグローブボックス容器本体や両係止爪片の撓み変形に起因して、両係止爪片が保持開口部に対して車幅方向にずれようとする力が作用しても、このようなずれが生じることが防止されているので、係止爪片の保持開口部への係止が解除されることを防止することができる。
【００１４】
また、互いに間隔を置いて設けられた係止爪片と係合突起片との協働により、保持開口部内で保持係合部が車幅方向へとずれることを防止しているので、係止爪片自体が撓み変形することが阻害されることはなく、係止爪片を保持開口部に係止させること、すなわちグローブボックス容器本体を容易に仮保持させることができる。
【００１５】
上記した構成に加えて、前記係合突起片は、前記保持開口部の周縁部に前記係止爪片の前記係止爪部分が係合されると、高さ方向で見た前記保持開口部の一対の周縁部の双方に当接することとすると、保持部材の保持開口部において、係合突起片が保持開口部の高さ方向で見た周縁部に当接するので、保持開口部内で保持係合部が高さ方向へとずれることを防止することができる。
【００１６】
上記した構成に加えて、前記係合突起片は、高さ方向で見た前記保持開口部の一対の周縁部のそれぞれに対応すべく対を為して設けられていることとすると、保持係合部の構成の自由度を増加させつつ保持開口部内で保持係合部が高さ方向へとずれることを防止することができる。
【００１７】
上記した構成に加えて、前記保持係合部は、前記車室内側から前記保持開口部に挿通されて該保持開口部の周縁部に前記係止爪片の前記係止爪部分が係合されると、前記インストルメントパネルの裏面側から前記保持部材に当接する裏側係合片を有することとすると、係止爪片が保持開口部に係合した状態において、保持係合部が係止爪片と裏側係合片とにより保持部材を狭持していることとなる。このため、保持係合部と保持部材とが、係止爪片の延出方向に相対的に位置ずれすることを防止することができる。
【発明を実施するための最良の形態】
【００１８】
以下、本発明の実施例を図面に従って説明する。
【実施例】
【００１９】
図１は、本発明に係るグローブボックス容器本体仮保持構造１０を説明するために図７の矢印Ａ３から見た模式的な斜視図である。また、図２は、グローブボックス容器本体仮保持構造１０における保持係合部１２を説明するための模式的な斜視図である。図３は、図２の矢印Ａ１から見た保持係合部１２の正面図であり、図４は、図２の矢印Ａ２から見た保持係合部１２の斜視図である。図５は、図１のＩ−Ｉ線に沿って得られた断面図であり、図６は、図１のII−II線に沿って得られた断面図である。なお、以下の説明では、車両の前後方向で見て、前方側を奥側とし後方側（車室側）を手前側とし、図には、前後方向をＦＢの矢印で示し、車幅（左右）方向をＬＲの矢印で示し、高さ方向をＵＤの矢印で示す。
【００２０】
グローブボックス容器本体仮保持構造１０は、従来技術で説明した図７のインストルメントパネル５０の取付開口５１に、グローブボックス容器本体１１を仮保持させるための構造である。
【００２１】
このインストルメントパネル５０は、図示は略すが、その内方には、車体の両サイドパネル（図示せず）を車幅方向に架け渡たしてステアリングサポートメンバまたはクロスカービームとしての車体強度部材が設けられ、そこに取り付けられる。インストルメントパネル５０の取付開口５１は、助手席（図示の例では乗員からみて右側）の前方側で車室内に臨む開口とされ、グローブボックスのためのグローブボックス容器本体１１が嵌合可能な大きさ寸法とされている。取付開口５１は、全体に矩形状を呈し、規定する開口周縁部のうち車幅方向に位置する側方縁部５２、５３で対を為すように保持部材５４が設けられている。この保持部材５４は、図１に示すように（図７の左側の保持部材５４を用いて説明するが左右が反転することを除くと右側の保持部材５４も基本的に同様の構成である。）、インストルメントパネル５０から延出された保持基部５５に平面部５６が設けられて構成されている。この平面部５６には、補強のためのリブ５７（図５および図６参照）と保持開口部５８とが設けられている。保持開口部５８は、車幅方向に略直交する一対の縦辺部分５８ａ、５８ｂと、当該縦辺部分に直行する上辺部分５８ｃ、下辺部分５８ｄとにより周縁部が規定された矩形状を呈する。
【００２２】
この保持部材５４が設けられた取付開口５１にグローブボックス容器本体１１が取り付けられ、その開口端１１ａに図示を略す蓋部が開閉自在に取り付けられてグローブボックスが構成される。なお、本実施例のグローブボックス容器本体１１（グローブボックス）では、内方に、略直方体の下方空間１１ｃと、その上方で矩形状に開口された挿通口１１ｄとが、２段に形成されている。
【００２３】
この取付開口５１での仮保持のために、グローブボックス容器本体１１には、保持係合部１２が設けられている。この保持係合部１２は、グローブボックス容器本体１１の開口端１１ａの側方で略高さ方向に延在する両フランジ部１１ｂの裏面側（車両前方側）に設けられ、取付開口５１の左右で対を為している。ここで、左右の保持係合部１２（そこが係合される保持開口部５８も同様）は、左右が反転することを除くと互いに同様の構成であることから、以下では図７を正面視して左側の保持係合部１２について説明し、右側については詳細な説明を省略する。
【００２４】
保持係合部１２は、図２ないし図４に示すように、車幅方向に直交する面内でフランジ部１１ｂに沿って延在する内側基部１３と外側基部１４とを有する。この内側基部１３と外側基部１４とは、グローブボックス容器本体１１のフランジ部１１ｂから、車幅方向に直交する面内でフランジ部１１ｂに直交して延出され、車幅方向に互いに間隔を置いて平行に延在する板状を呈する。この内側基部１３および外側基部１４の厚さ寸法とそれらの間隔（車幅方向で見た位置関係）とは、後述するように、保持部材５４の保持開口部５８に挿入される保持係合部１２の係止爪片１９および一対の係合突起片１７の大きさ寸法を考慮して設定されている。
【００２５】
内側基部１３と外側基部１４とは、一対の連結基部１５により連結されている。一対の連結基部１５は、内側基部１３と外側基部１４とに直交しかつフランジ部１１ｂから直交するように延出された板状を呈し、内側基部１３および外側基部１４の延在方向（高さ方向に沿う方向）に互いに間隔を置いて設けられている。この一対の連結基部１５は、本実施例では、内側基部１３と外側基部１４との延在方向で見た両延在端の近傍に設けられている。
【００２６】
内側基部１３の内側（図示の例ではＲ側）には補強基部１６が設けられている。補強基部１６は、車幅方向で見て一対の連結基部１５の延長上の位置で、内側基部１３を補強するように当該内側基部１３の突出方向に沿って延在されている。このため、内側基部１３は、一対の補強基部１６と一対の連結基部１５とにより、車幅方向に挟まれていることとなる。
【００２７】
この内側基部１３に一対の係合突起片１７が設けられている。一対の係合突起片１７は、内側基部１３の両延在端の近傍を、部分的に当該内側基部１３の延出方向に延長して形成された板状を呈する。一対の係合突起片１７は、車幅方向に連なる一対の補強基部１６および一対の連結基部１５が、内側基部１３の延在方向で見た略中心となる位置に設けられている。このため、両係合突起片１７は、補強基部１６および連結基部１５と、内側基部１３と、が交差された箇所を基部とするように、フランジ部１１ｂから車幅方向に沿って延出されていることとなる。
【００２８】
この一対の係合突起片１７は、車幅方向で見て、後述する係止爪片１９が保持部材５４の保持開口部５８の縦辺部分５８ａ（一方の周縁部）に係止した状態において、保持開口部５８の縦辺部分５８ｂ（他方の周縁部）に内接する大きさ寸法および位置設定とされている。また、一対の係合突起片１７は、保持部材５４の保持開口部５８に挿通されると、高さ方向で見て、上側に位置された係合突起片１７ａの上端が保持開口部５８の上辺部分５８ｃ（高さ方向で見た上側（図示の例ではＵ側）の周縁部）に内接するとともに、下側に位置された係合突起片１７ｂの下端が保持開口部５８の下辺部分５８ｄ（高さ方向で見た下側（図示の例ではＤ側）の周縁部）に内接する大きさ寸法および位置設定とされている。この両係合突起片１７は、先端の内側（図示の例ではＲ側）に傾斜面１７ｃが設けられ、車幅方向で見て先端に向かうほど先細りする構成とされている。
【００２９】
この一対の係合突起片１７が設けられた内側基部１３には、一対の板状片１８が設けられている。両板状片１８は、内側基部１３の延出端部（フランジ部１１ｂから最も離れた位置）から車幅方向に突出された板状部であり、内側（図示の例ではＲ側）の一端１８ａが、後述するように保持部材５４のリブ５７に裏側（奥側）から当接可能な長さ寸法とされており、外側（図示の例ではＬ側）の他端１８ｂが外側基部１４に連結されている。
【００３０】
この外側基部１４には、係止爪片１９が設けられている。係止爪片１９は、外側基部１４をその延出方向に延長するように形成された板状を呈し、係止爪部分２０が設けられている。係止爪部分２０は、車幅方向で外側（図示の例ではＬ側であり、グローブボックスから見て外側となる。）に突出されている。この係止爪部分２０は、係止爪片１９の先端１９ａから外側基部１４側へ向けて厚さ寸法を増大させる傾斜面１９ｂと、そこから屈曲された突起稜線１９ｃと、そこを経て、厚さ寸法を一気に減少させる傾斜面１９ｄとにより形成されている。
【００３１】
次に、インストルメントパネル５０の取付開口５１に、グローブボックス容器本体１１を仮保持させる様子を説明する。
【００３２】
先ず、取付開口５１にグローブボックス容器本体１１を嵌入する。このとき、グローブボックス容器本体１１の保持係合部１２を、取付開口５１の保持部材５４の保持開口部５８に挿入する。詳細には、保持係合部１２の係止爪片１９と一対の係合突起片１７とを、保持開口部５８に挿入する。ここで、係止爪片１９には傾斜面１９ｂが設けられ、かつ一対の係合突起片１７には傾斜面１７ｃが設けられており、係止爪片１９と一対の係合突起片１７との延出端側（フランジ部１１ｂから離間された側）の幅寸法（車幅方向で見た寸法）が狭められていることから、保持開口部５８への挿入が容易なものとされている。
【００３３】
このように挿入されると、図１に示すように、係止爪片１９の係止爪部分２０を形成する傾斜面１９ｂが、保持開口部５８の縦辺部分５８ａ（一方の周縁部であり、車幅方向で見た外側（図示の例ではＬ側）の周縁部である）に内接し、そこからの反力を受けた係止爪片１９が撓み変形され、係止爪部分２０を形成する突起稜線１９ｃが縦辺部分５８ａを乗り越えて、当該縦辺部分５８ａに傾斜面１９ｄが係合される（図１、図５および図６参照）。
【００３４】
この係合状態において、一対の係合突起片１７は、保持開口部５８の縦辺部分５８ｂ（他方の周縁部であり、車幅方向で見た内側（図示の例ではＲ側）の周縁部である）に内接される（図１、図５および図６参照）。また、一対の係合突起片１７は、上側に位置された係合突起片１７ａの上端が保持開口部５８の上辺部分５８ｃ（高さ方向で見た上側（図示の例ではＵ側）の周縁部）に当接され、下側に位置された係合突起片１７ｂの下端が保持開口部５８の下辺部分５８ｄ（高さ方向で見た下側（図示の例ではＤ側）の周縁部）に内接される。
【００３５】
さらに、この状態において、一対の板状片１８が、インストルメントパネル５０の裏側（奥側）から、保持部材５４のリブ５７に当接される（図５および図６参照）。このため、一対の板状片１８は、裏側係合片として機能することとなる。
【００３６】
これにより、グローブボックス容器本体１１を、インストルメントパネル５０の取付開口５１に嵌入された状態で適切に仮保持されることができる。このため、保持係合部１２と保持部材５４とが、保持機構として機能することとなる。
【００３７】
このグローブボックス容器本体仮保持構造１０では、以下に列挙する効果が得られる。
１）保持部材５４の保持開口部５８において、係止爪片１９の係止爪部分２０が、保持開口部５８の縦辺部分５８ａ（一方の周縁部）に係止するとともに、一対の係合突起片１７が、保持開口部５８の縦辺部分５８ｂ（他方の周縁部）に内接するので、保持開口部５８内で保持係合部１２が車幅方向へとずれることを防止することができる。このため、重力によりグローブボックス容器本体１１や両係止爪片１９の撓み変形に起因して、両係止爪片１９が保持開口部５８に対して車幅方向にずれようとする力が作用しても、このようなずれが生じることが防止されているので、係止爪片１９の保持開口部５８への係止が解除されることを防止することができる。
２）互いに間隔を置いて設けられた係止爪片１９と一対の係合突起片１７との協働により、保持開口部５８内で保持係合部１２が車幅方向へとずれることを防止しているので、係止爪片１９自体が撓み変形することが阻害されることはなく、係止爪片１９を保持開口部５８へと係止させること、すなわちグローブボックス容器本体１１を仮保持させることが容易にできる。
３）保持部材５４の保持開口部５８において、一対の係合突起片１７のうち上側に位置された係合突起片１７ａの上端が保持開口部５８の上辺部分５８ｃ（高さ方向で見た一対の周縁部の一方）に内接するとともに、下側に位置された係合突起片１７ｂの下端が保持開口部５８の下辺部分５８ｄ（高さ方向で見た一対の周縁部の他方）に内接するので、保持開口部５８内で保持係合部１２が高さ方向へとずれることを防止することができる。
４）係止爪片１９が保持開口部５８に係止した状態において、一対の板状片１８（裏側係合片）が、インストルメントパネル５０の裏側（奥側）から、保持部材５４のリブ５７に当接するので、保持係合部１２は、係止爪片１９と一対の板状片１８とにより保持部材５４を狭持していることとなる。このため、保持係合部１２と保持部材５４とが、係止爪片１９の突出方向へ相対的に位置ずれすることを防止することができる。
５）係止爪片１９を採用していることから、従来のスリット爪を用いることに比較して、高さ寸法を低減することができる。
６）保持係合部１２の保持開口部５８への係合は、互いに直交する３つの方向（車幅方向、上下方向および突出方向）を規制することができるので、取付開口５１に対してグローブボックス容器本体１１を位置決めすることができる。このため、保持係合部１２および保持開口部５８は、グローブボックス容器本体１１の取付開口５１に対する位置出しが求められる箇所に設けることが望ましい。
７）高さ方向に間隔を置いて上側の係合突起片１７ａと下側の係合突起片１７ｂとを設けることにより、保持開口部５８内で保持係合部１２が高さ方向へとずれることを防止するものであることから、保持係合部１２の構成の自由度を高めること（例えば、両係合突起片１７ａ、１７ｂの間に他の構成を設ける等）ができる。
【００３８】
したがって、本発明に係るグローブボックス容器本体仮保持構造１０では、高さ寸法の増大を招くことのない係止爪片１９を採用しつつ簡易にかつ確実に仮保持させることができる。
【００３９】
なお、上記した実施例では、保持係合部１２において、グローブボックス側から見て、係止爪片１９が外側に位置し、かつ一対の係合突起片１７が内側に位置されていたが、内外は逆であってもよく、上記した実施例に限定されるものではない。
【００４０】
また、上記した実施例では、係合突起片１７が上側（係合突起片１７ａ）とした側（係合突起片１７ｂ）とで対を為すように設けられていたが、一体であってもよく、上記した実施例に限定されるものではない。
【００４１】
さらに、上記した実施例では、グローブボックス容器本体１１に図示を略す蓋部材が開閉自在に取り付けられてグローブボックスを構成するものであったが、グローブボックス容器本体に箱状のグローブボックス本体を開閉自在に取り付けて構成されるものであってもよく、上記した実施例に限定されるものではない。
【００４２】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。
【図面の簡単な説明】
【００４３】
【図１】本発明に係るグローブボックス容器本体仮保持構造を説明するために図７の矢印Ａ３から見た模式的な斜視図である。
【図２】グローブボックス容器本体仮保持構造における保持係合部を説明するための模式的な斜視図である。
【図３】図２の矢印Ａ１から見た保持係合部の正面図である。
【図４】図２の矢印Ａ２から見た保持係合部の斜視図である。
【図５】図５は、図１のＩ−Ｉ線に沿って得られた断面図である。
【図６】図１のII−II線に沿って得られた断面図である。
【図７】グローブボックス容器本体仮保持構造を説明するために、インストルメントパネルの取付開口とグローブボックス容器本体とを分解して示す車室側（手前側）から見た模式的な斜視図である。
【図８】従来の係止爪片を用いたグローブボックス容器本体仮保持構造を説明するために図７の矢印Ａ３から見た模式的な斜視図である。
【図９】図８のIII−III線に沿って得られた断面図である。
【符号の説明】
【００４４】
１０  グローブボックス容器本体仮保持構造
１１  グローブボックス容器本体
１２  保持係合部
１７  係合突起片
１８  （裏側係合片としての）板状片
１９  係止爪片
２０  係止爪部分
５０  インストルメントパネル
５１  取付開口
５２  側方縁部
５３  側方縁部
５４  保持部材
５８  保持開口部
【図１】
2010000832.tif 000003
【図２】
2010000832.tif 000004
【図３】
2010000832.tif 000005
【図４】
2010000832.tif 000006
【図５】
2010000832.tif 000007
【図６】
2010000832.tif 000008
【図７】
2010000832.tif 000009
【図８】
2010000832.tif 000010
【図９】
2010000832.tif 000011